(57)【要約】【課題】断熱パネルの固定をより確実に実施できるようにする。【解決手段】表面に稜部６と谷部とを交互に複数並設されたデッキプレート屋根又は折板屋根又は瓦棒屋根の何れかからなる屋根ｒの上に、断熱パネルＰを載置して、屋根ｒに対する固定金具１を用いて断熱パネルＰを屋根ｒに固定すると共に、その上方に防水層２を設ける屋根断熱化方法において、断熱パネルＰの設置に当たって、予め、固定金具１を屋根ｒの稜部６に上方に突出する状態に取り付けておき、その上から断熱パネルＰを載置すると共に、固定金具１が断熱パネルＰの下面から上方へ突き刺さる状態に断熱パネルＰを押し下げて設置する。【選択図】図１
2007154652.tif 000002
【特許請求の範囲】
【請求項１】
表面に稜部と谷部とを交互に複数並設されたデッキプレート屋根又は折板屋根又は瓦棒屋根の何れかからなる屋根の上に、断熱パネルを載置して、前記屋根に対する固定金具を用いて前記断熱パネルを屋根に固定すると共に、その上方に防水層を設ける屋根断熱化方法であって、
前記断熱パネルの設置に当たって、予め、前記固定金具を前記屋根の稜部に上方に突出する状態に取り付けておき、その上から前記断熱パネルを載置すると共に、前記固定金具が断熱パネルの下面から上方へ突き刺さる状態に前記断熱パネルを押し下げて設置する屋根断熱化方法。
【請求項２】
前記屋根の稜部に上方に突出状態に取り付けられた前記固定金具に、取り付けることで上方への突出長さが増加する延長部材を取り付けた状態で前記断熱パネルを押し下げて設置する請求項１に記載の屋根断熱化方法。
【請求項３】
前記固定金具として、屋根に対して基端部を取り付けるボルト体と、そのボルト体の先端部に取り付けて前記断熱パネルを抑え固定可能な抑え体とを備えて構成したものを使用し、前記ボルト体は、屋根の上方から基端部を屋根に挿入して締結操作可能なワンサイドボルトを使用する請求項１又は２に記載の屋根断熱化方法。
【請求項４】
屋根への前記断熱パネルの取り付け状態において、前記固定金具周囲の断熱パネル部分を、断熱パネルの厚み方向に圧密させておく請求項１〜３の何れか一項に記載の屋根断熱化方法。
【発明の詳細な説明】
【技術分野】
【０００１】
本発明は、表面に稜部と谷部とを交互に複数並設されたデッキプレート屋根又は折板屋根又は瓦棒屋根の何れかからなる屋根の上に、断熱パネルを載置して、前記屋根に対する固定金具を用いて前記断熱パネルを屋根に固定すると共に、その上方に防水層を設ける屋根断熱化方法に関する。
【背景技術】
【０００２】
従来、この種の屋根断熱化方法としては、図１１に示すように、前記断熱パネルＰを、前記稜部６上に載置状態に配置し、断熱パネルＰの上から、稜部６を目指して固定金具３０をねじ込み、断熱パネルＰを屋根ｒに固定して、その上から防水シート１１等の防水層２を設置する方法を採っていた。
尚、この様な従来技術に関しては、当業者の間で広く知られているものであるが、該当する屋根断熱化方法に関して詳しく言及した特許文献などは見あたらないので、先行技術文献は示していない。
【発明の開示】
【発明が解決しようとする課題】
【０００３】
上述した従来の屋根断熱化方法によれば、前記断熱パネルを屋根に固定する際、屋根面の各稜部上にわたって載置された断熱パネルの上から、その下方に隠れた稜部を目指して固定金具をねじ込むことで実施されるから、図１１（ロ）に示すように、稜部６に対する固定金具３０のねじ込み位置が所定の位置からずれる危険性がある。そして、ねじ込み位置が狂うと、充分な固定強度が得られず、断熱パネルの固定に支障を来す問題がある。特に、稜部の幅寸法が小さい屋根に関してはその危険性が大きい。
【０００４】
従って、本発明の目的は、上記問題点を解消し、断熱パネルの固定をより確実に実施できる屋根断熱化方法を提供するところにある。
【課題を解決するための手段】
【０００５】
本発明の第１の特徴構成は、表面に稜部と谷部とを交互に複数並設されたデッキプレート屋根又は折板屋根又は瓦棒屋根の何れかからなる屋根の上に、断熱パネルを載置して、前記屋根に対する固定金具を用いて前記断熱パネルを屋根に固定すると共に、その上方に防水層を設ける屋根断熱化方法において、前記断熱パネルの設置に当たって、予め、前記固定金具を前記屋根の稜部に上方に突出する状態に取り付けておき、その上から前記断熱パネルを載置すると共に、前記固定金具が断熱パネルの下面から上方へ突き刺さる状態に前記断熱パネルを押し下げて設置するところにある。
【０００６】
本発明の第１の特徴構成によれば、前記断熱パネルの設置に当たって、予め、前記固定金具を前記屋根の稜部に上方に突出する状態に取り付けておくから、固定金具の位置ずれの無い状態に目で確認して固定作業を進められる。その結果、より精度よく固定金具を屋根面の各稜部に取り付けることができるようになり、所定の固定強度を確保することが可能となる。この作用効果は、稜部幅寸法の大小に拘わらず期待することが可能となり、色々な寸法の屋根に広く適用させることができる。
更には、上述のように固定金具が固定された屋根の上から、前記断熱パネルを載置すると共に、前記固定金具が断熱パネルの下面から上方へ突き刺さる状態に前記断熱パネルを押し下げて設置するから、固定金具が突き刺さった断熱パネル部分の周囲は、固定金具との摩擦力によって上方へ盛り上がる状態に変形することはあっても、下方に凹むことが防止され易く、後工程で実施される防水層上に水溜まりが発生し難い状態に固定することが可能となる。因みに、防水層上に水溜まりが発生すると、防水層の劣化の原因になり易いから、防水層の下地に凹みが生じることは好ましくない。
【０００７】
本発明の第２の特徴構成は、前記屋根の稜部に上方に突出状態に取り付けられた前記固定金具に、取り付けることで上方への突出長さが増加する延長部材を取り付けた状態で前記断熱パネルを押し下げて設置するところにある。
【０００８】
本発明の第２の特徴構成によれば、固定金具の長さが前記断熱パネルの厚み寸法より短く設定されていても、固定金具に取り付けた前記延長部材が断熱パネルを貫通（又はほぼ貫通）する状態となり、設置した断熱パネルの上方から固定金具の位置を一目瞭然に確認することが可能となる。そして、前記延長部材を取り外して断熱パネルの本固定を行えばよく、断熱パネル固定作業等の後工程を効率よく実施することが可能となる。また、固定金具そのものの長さを断熱パネルの厚み寸法より短く設定できるようになることで、断熱パネルの固定箇所の盛り上がりを抑えることができ、その上に設置される防水層の平坦性を向上させることができると共に、断熱化屋根としての意匠性の向上を図ることが可能となる。
【０００９】
本発明の第３の特徴構成は、前記固定金具として、屋根に対して基端部を取り付けるボルト体と、そのボルト体の先端部に取り付けて前記断熱パネルを抑え固定可能な抑え体とを備えて構成したものを使用し、前記ボルト体は、屋根の上方から基端部を屋根に挿入して締結操作可能なワンサイドボルトを使用するところにある。
【００１０】
本発明の第３の特徴構成によれば、本発明の第１〜２の特徴構成による上述の作用効果を叶えることができるのに加えて、屋根の上面からの施工のみで、固定金具取付作業や、断熱パネル固定作業を実施することが可能となり効率よく作業を進めることが可能となる。
そして、屋根断熱化施工に伴って屋根の下方空間への頻繁な立ち入りを行わずに一連の作業を実施することができるから、屋根の下方空間を開放した施工が可能となる。これは、新築においては、屋根の下方空間では、例えば、間仕切り工事や内装工事等の他の作業を、屋根断熱化施工と並行して進めることができる効果があり、既存建物を対象とした改修においては、建物を今まで通り使用しながら、屋根断熱化施工を進めることができる効果がある。
【００１１】
本発明の第４の特徴構成は、屋根への前記断熱パネルの取り付け状態において、前記固定金具周囲の断熱パネル部分を、断熱パネルの厚み方向に圧密させておくところにある。
【００１２】
屋根に取り付けられた断熱パネルには、例えば、風による押圧力や揚圧力等の外力が作用するから、飛ばされないようにするために安定した状態に固定する必要があり、固定金具を使用して屋根に固定されているが、その固定金具周囲の断熱パネル部分には、大きな力が特に集中する危険性がある。
本発明の第４の特徴構成によれば、本発明の第１〜３の特徴構成による上述の作用効果を叶えることができるのに加えて、圧密によって断熱パネルの被固定部分の強度向上を図ることが可能となり、前記固定金具によって、より安定した状態に断熱パネルを固定することが可能となる。
【発明を実施するための最良の形態】
【００１３】
以下に本発明の実施の形態を図面に基づいて説明する。尚、図面において従来例と同一の符号で表示した部分は、同一又は相当の部分を示している。
【００１４】
〔第１実施形態〕
図１は、本発明の屋根断熱化方法の第１実施形態の施工によって断熱化が図られた断熱屋根Ｒを示している。
当該実施形態においては、断熱屋根Ｒは、折板屋根で構成された屋根ｒの上に、断熱パネルＰを載置して、前記屋根ｒに対する固定金具１を用いて前記断熱パネルＰを屋根ｒに固定すると共に、その上方に防水層２を設けて構成されている。
【００１５】
前記屋根ｒは、図２に示すように、形鋼からなる母屋３に取り付けた台形山型形状のタイトフレーム４上に、それぞれの折板５の両側縁部どうしが重なるように配置し、重ね合わせた稜部６を、前記タイトフレーム４にボルト固定することで一体化が図られている。そして、一枚の折板５は、幅方向の両端部に前記稜部６が位置すると共に、それら稜部６の間には、谷部７が位置する状態に形成されている。
従って、前記屋根ｒは、表面に稜部６と谷部７とが交互に複数並設された形状に形成されている。
【００１６】
一方、前記稜部６には、上方に突出する状態にボルト体８が取り付けられ、そのボルト体８と、そのボルト体８の先端部に取り付けられた抑え体９とによって前記断熱パネルＰが固定されている。
【００１７】
前記ボルト体８は、図３に示すように、所謂「ワンサイドボルト」であり、予め、稜部６に形成しておいた取付用ボルト穴６ａ内に、下端部を挿入した状態で、専用工具を用いて突出部８ａを回転操作すると、下端部に備えてあるクサビ８ｂによって、座金部８ｃが拡径し、前記取付用ボルト穴６ａの裏面側穴周囲に張り出して当接することで抜け止めを図るように構成されている。また、突出部８ａには、ナット部材８ｄが螺合させてあり、拡径した座金部８ｃとこのナット部材８ｄとで、前記折板５の稜部６を挟持している。
また、前記ナット部材８ｄが螺合されている部分には、合成樹脂製の水密向上カバー１０が被せてある。この水密向上カバー１０は、外径が円錐形に形成してある。
【００１８】
前記抑え体９は、金属で構成してあり、前記ボルト体８の突出部８ａに螺合する雌ネジボルト９Ａと、雌ネジボルト９Ａの胴部分９Ａａが挿通する挿通孔９Ｂａを備えた抑え板９Ｂとを備えて構成してある。
そして、前記断熱パネルＰの固定は、前記ボルト体８の突出部８ａが貫通する状態に配置された断熱パネルＰの上から、前記抑え板９Ｂを載置すると共に、挿通孔９Ｂａに雌ネジボルト９Ａを挿通させながらボルト体８に螺合させて締め付けることにより、雌ネジボルト９Ａの拡径頭部９Ａｂが抑え板９Ｂの挿通孔９Ｂａ周りを押さえ、その結果、抑え板９Ｂが、断熱パネルＰの上面を前記屋根ｒの稜部６との間で挟持することができ、安定的な固定を叶えることが可能となる。
また、上述の断熱パネル取付状態のまま、それらの上から防水シート１１を被せ、前記抑え板９Ｂの上面に接着することで、安定した状態に防水層２を形成することができる。
【００１９】
尚、前記断熱パネルＰは、合成樹脂製の発泡体で構成されており、前記ボルト体８の突出部８ａが貫通する程度の柔らかさを備えている。そして、当該断熱パネルＰを屋根ｒ上へ配置する際には、予め、前記ボルト体８は稜部６に設置されているから、それらの上から前記断熱パネルＰを載置すると共に、前記突出部８ａが断熱パネルＰの下面から上方へ突き刺さる状態に前記断熱パネルＰを押し下げることで実施できる。
そして、断熱パネルＰを押し下げる際には、ボルト体８周囲の断熱パネル部分Ｐａは、円錐形の前記水密向上カバー１０が下方から食い込むことで他の部分より厚み方向に圧密され、その結果、その部分の強度が上がり、より安定した状態に固定することが可能となっている。即ち、前記水密向上カバー１０は、屋根ｒの固定金具取付部の水密性の向上を図ることができると共に、断熱パネルＰの被固定箇所の強度アップを促進する作用をも備えている（図３（ハ）参照）。
【００２０】
屋根断熱化方法の手順を説明する。尚、当該屋根断熱化方法は、既存の屋根ｒの断熱改修によって断熱屋根Ｒを形成することのみならず、新築による断熱屋根Ｒの形成にも適用することができる。
［１］  形成された屋根ｒの稜部６の所定位置に取付用ボルト穴６ａを形成すると共に、そのボルト穴６ａに、ボルト体８を取り付ける（図３（イ）参照）。その際、水密向上カバー１０も取り付けておく。
［２］  屋根ｒ上に断熱パネルＰを配置して、前記ボルト体８の突出部８ａが断熱パネルＰの下面から上に突き刺さるように断熱パネルＰを押さえる（図３（ロ）参照）。そして、断熱パネルＰの下面が稜部６の上面に当接する程度まで下げる。この行為によって、水密向上カバー１０がボルト体８周りの断熱パネル部分Ｐａに下から食い込んで、断熱パネル厚み方向に圧密することができ、固定強度を向上させることができる（図３（ハ）参照）。
［３］  ボルト体８に抑え体９を螺合させて断熱パネルＰを固定する。
［４］  断熱パネルの上から防水シート１１を敷設し、前記抑え体９に接着することで防水層２を形成する（図１参照）。抑え体９への防水シート１１の接着は、例えば、接着材の塗布によって実施する方法や、予め、抑え体９の上面にホットメルト接着層を設けておき、被せた防水シート１１の上方から、磁気誘導加熱によって抑え体９を加熱し、その熱で溶けたホットメルト接着層によって接着する等の方法を採用することができる。
【００２１】
本実施形態の屋根断熱技術によれば、固定金具の位置ずれの無い状態に目で確認して固定作業を進められ、より精度よく固定金具を屋根面の各稜部に取り付けることができる。従って、稜部幅寸法の大小に拘わらず、所定の固定強度をより確実に確保することが可能となる。また、断熱パネルの固定作業をも効率よく実施することが可能となる。
【００２２】
〔第２実施形態〕
図４は、本発明の屋根断熱化方法の第２実施形態の施工によって断熱化が図られた断熱屋根Ｒを示している。
当該実施形態においては、断熱屋根Ｒは、折板屋根で構成された屋根ｒの上に、断熱パネルＰを載置して、前記屋根ｒに対する固定金具１を用いて前記断熱パネルＰを屋根ｒに固定すると共に、その上方に防水層２を設けて構成されている。
【００２３】
前記屋根ｒは、図５に示すように、丸ハゼ継ぎの折板屋根で構成されており、形鋼からなる母屋３に取り付けた台形山型形状のタイトフレーム４上に、緊定金具１７が取り付けられ、その緊定金具１７を二枚の折板５のハゼ継ぎ部１８に介在させて一体化が図られている。ハゼ継ぎ部１８での緊定金具１７の一体化は、例えば、緊定金具１７を、接続する互いの折板５の両側縁部で挟んだ状態で電動締め機で巻き込んで締めることで実施することができる。そして、前記屋根ｒは、表面に稜部６と谷部７とが交互に複数並設された形状に形成されており、ハゼ継ぎ部１８は、稜部６に位置している。
因みに、当該実施形態のようなハゼ継ぎの折板屋根を対象とした屋根断熱化方法は、従来、図１２に示すように、補強用のベースプレート１２を稜部６にビス止めしておき、そのベースプレート１２上に断熱パネルＰを載置し、断熱パネルＰの上から、ベースプレート１２を目指して固定金具３０をねじ込み、断熱パネルＰを屋根ｒに固定して、その上から防水シート１１等の防水層２を設置する方法と採っていたが、固定金具３０が、屋根ｒを傷つけ易く、防水性や強度の低下をまねく危険性があった。
【００２４】
これに対して、本実施形態の場合、前記稜部６には、前記ハゼ継ぎ部１８に挟持状態に取り付けられたボルト体８が上方に突出する状態に設けられており、そのボルト体８と、そのボルト体８の先端部に取り付けられた抑え体９とによって前記断熱パネルＰが固定されている。
【００２５】
前記ボルト体８は、図６に示すように、前記ハゼ継ぎ部１８を両側方から挟持することで嵌合する挟持片部１９と、前記挟持片部１９を挟持操作自在なボルト２０ａとナット２０ｂからなる挟持ネジ部材２０と、下端部が平板形状に形成された所謂『羽子板ボルト２１』とを備えて構成されている。そして、羽子板ボルト２１は、前記挟持片部１９の上面部に、ボルト部２１ａを下方から挿通させて突出する状態にしてあると共に、下端の平板部２１ｂを、両挟持片部１９間に位置させた状態で、前記平板部２１ｂのボルト挿通孔２１ｃに、前記挟持ネジ部材２０のボルト２０ａを挿通させて一体的に固定されている。
【００２６】
前記抑え体９は、金属で構成してあり、前記ボルト体８のボルト部２１ａに螺合する雌ネジボルト９Ａと、雌ネジボルト９Ａの胴部分９Ａａが挿通する挿通孔９Ｂａを備えた抑え板９Ｂとを備えて構成してある。
そして、前記断熱パネルＰの固定は、前記ボルト体８のボルト部２１ａが貫通する状態に配置された断熱パネルＰの上から、前記抑え板９Ｂを載置すると共に、挿通孔９Ｂａに雌ネジボルト９Ａを挿通させながらボルト体８に螺合させて締め付けることにより、雌ネジボルト９Ａの拡径頭部９Ａｂが抑え板９Ｂの挿通孔９Ｂａ周りを押さえ、その結果、抑え板９Ｂが、断熱パネルＰの上面を前記屋根ｒの稜部６との間で挟持することができ、安定的な固定を叶えることが可能となる。
また、上述の断熱パネル取付状態のまま、それらの上から防水シート１１を被せ、前記抑え板９Ｂの上面に接着することで、安定した状態に防水層２を形成することができる。
【００２７】
尚、前記断熱パネルＰは、合成樹脂製の発泡体で構成されており、前記ボルト体８のボルト部２１ａが貫通する程度の柔らかさを備えている。そして、当該断熱パネルＰを屋根ｒ上へ配置する際には、予め、前記ボルト体８は稜部６のハゼ継ぎ部１８に挟持固定されているから、それらの上から前記断熱パネルＰを載置すると共に、前記ボルト部２１ａが断熱パネルＰの下面から上方へ突き刺さる状態に前記断熱パネルＰを押し下げることで実施できる。
そして、当該実施形態においては、ボルト体８の高さ寸法は、設置した断熱パネルＰの上面より下方に位置するように短めに設定してあることから、ボルト体８が断熱パネルＰに突き刺さった状態では貫通せず、断熱パネルＰ上から抑え体９を取り付ける位置を確認できない為、予め、ボルト部２１ａに図に示すように長めの金属筒（延長部材に相当）２２を外嵌させておき、そのまま、断熱パネルＰを押し下げる。そして、断熱パネルＰ上に突出した金属筒２２の上端を持って引き抜いた後に、抑え体９、及び、雌ネジボルト９Ａを設置する方法で実施できる。因みに、ボルト体８の高さ寸法を短めに設定してあることで、断熱パネルＰ上へ突出する固定金具１の高さを少なくして、防水層２をより平坦に設置できる。
【００２８】
屋根断熱化方法の手順を説明する。尚、当該屋根断熱化方法は、既存の屋根ｒの断熱改修によって断熱屋根Ｒを形成することのみならず、新築による断熱屋根Ｒの形成にも適用することができる。
［１］  形成された屋根ｒのハゼ継ぎ部１８の所定位置に、前記挟持片部１９、挟持ネジ部材２０、羽子板ボルト２１からなるボルト体８を取り付ける（図６（イ）（ロ）参照）。
［２］  羽子板ボルト２１のボルト部２１ａに金属筒２２を外嵌させた状態で（図６（ハ）参照）、屋根ｒ上に断熱パネルＰを配置して、前記ボルト体８のボルト部２１ａ及び金属筒２２が断熱パネルＰの下面から上に突き刺さるように断熱パネルＰを押さえる（図６（ニ）参照）。そして、断熱パネルＰの下面がハゼ継ぎ部１８の上面に当接する程度まで下げる。
［３］  金属筒２２を引き抜いた後、ボルト体８に抑え体９を螺合させて断熱パネルＰを固定する（図６（ホ）参照）。
［４］  断熱パネルの上から防水シート１１を敷設し、前記抑え体９に接着することで防水層２を形成する（図６（ヘ）参照）。抑え体９への防水シート１１の接着は、例えば、接着材の塗布によって実施する方法や、予め、抑え体９の上面にホットメルト接着層を設けておき、被せた防水シート１１の上方から、磁気誘導加熱によって抑え体９を加熱し、その熱で溶けたホットメルト接着層によって接着する等の方法を採用することができる。
【００２９】
本実施形態の屋根断熱技術によれば、短いボルト体８を使用して屋根表面への出っ張りを少なくできながら、固定金具の位置ずれの無い状態に目で確認して固定作業を進められ、より精度よく固定金具を屋根面の各稜部に取り付けることができる。そして、ハゼ継ぎの折板屋根に対しても、簡単に屋根断熱化工事を実施できると共に、屋根に対して穴を明けずに固定金具を取り付けることができるから、屋根の強度低下を防止できると共に、屋根本体による防水層と、防水シートによる防水層との二重の防水層によって、より確実な防水性能を発揮することが可能となる。また、断熱パネルの固定作業を効率よく実施することも可能となる。
【００３０】
〔別実施形態〕
以下に他の実施の形態を説明する。
【００３１】
〈１〉  前記固定金具１は、先の実施形態で説明した形式のものに限るものではなく、変形例の採用も可能である。従って、ワンサイドボルトからなるボルト体８と抑え体９との構成に限るものではなく、通常のボルトとナットを使用したボルト体であってもよい。
また、図７に示すように、折板５の稜部６上に沿う山型形状のベースプレート１２にボルト１３を一体に立設したものを、折板５にビス止めすることで取り付けるように構成した固定金具であってもよい。
〈２〉  また、断熱化対象の屋根は、は、先の第１実施形態で説明した隣接する折板５の側縁に形成した扁平な稜部６どうしを重ね合う構造の折板屋根や、第２実施形態で説明した丸ハゼ継ぎの折板屋根に限るものではなく、例えば、図８に示すように、角ハゼ継ぎの折板屋根や、図９に示すように、瓦棒屋根や、デッキプレートを並設して構成されたデッキプレート屋根等であってもよく、それらを総称して屋根ｒと言う。また、丸ハゼ継ぎの折板屋根であっても、ボルト体８の形状の変更は可能で、例えば、図１０に示すように、挟持片部１９の上面を広めの平面に形成し、その部分に、前記羽子板ボルト２１に替えて、ボルト１３を溶接等によって一体に設けたものであってもよい。この実施形態の場合、前記挟持片部１９が、先の実施形態での水密向上カバーと同様に、断熱パネルの被固定部周りの圧密強化を促進する機能を果たすことが可能となる。
【００３２】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【図面の簡単な説明】
【００３３】
【図１】第１実施形態における断熱屋根の要部を示す断面図
【図２】第１実施形態における断熱屋根の形成状況を示す要部分解斜視図
【図３】第１実施形態における断熱屋根の形成状況を示す要部断面図
【図４】第２実施形態における断熱屋根の要部を示す断面図
【図５】第２実施形態における断熱屋根の形成状況を示す要部分解斜視図
【図６】第２実施形態における断熱屋根の形成状況を示す要部断面図
【図７】別実施形態の固定金具の取付状況を示す断熱屋根要部断面図
【図８】別実施形態の固定金具の取付状況を示す断熱屋根要部断面図
【図９】別実施形態の固定金具の取付状況を示す断熱屋根要部断面図
【図１０】別実施形態の固定金具の取付状況を示す断熱屋根要部断面図
【図１１】従来の断熱屋根の形成状況を示す断面図
【図１２】従来の断熱屋根の形成状況を示す断面図
【符号の説明】
【００３４】
１      固定金具
２      防水層
６      稜部
７      谷部
８      ボルト体
９      抑え体
２２    延長部材
Ｐ      断熱パネル
Ｐａ    断熱パネル部分
ｒ      屋根
【図１】
2007154652.tif 000003
【図２】
2007154652.tif 000004
【図３】
2007154652.tif 000005
【図４】
2007154652.tif 000006
【図５】
2007154652.tif 000007
【図６】
2007154652.tif 000008
【図７】
2007154652.tif 000009
【図８】
2007154652.tif 000010
【図９】
2007154652.tif 000011
【図１０】
2007154652.tif 000012
【図１１】
2007154652.tif 000013
【図１２】
2007154652.tif 000014